(57)【要約】【課題】転送指示を送信する携帯端末に所望の受信データを転送する。【解決手段】本発明のファクシミリ装置１は、電話の発信元装置と接続中に、携帯端末２から転送指示を受け付ける転送指示取得部１５５と、転送指示取得部１５５が転送指示を受け付けると、発信元装置から接続中に受信したデータを、転送指示を送信した携帯端末２に対し送信する転送データ送信部１５７と、を備えているので、発信元装置と接続中にファクシミリ装置１で受信したデータを、その接続中における携帯端末２からの転送指示により携帯端末２へ送信できる。【選択図】図１
2010093553.tif 000002
【特許請求の範囲】
【請求項１】
着信した電話に対し、自装置の子機である携帯端末が応答できるとともに、該電話の発信元装置からデータを受信するデータ転送装置であって、
上記電話の発信元装置と接続中に、上記携帯端末から転送指示を受け付ける転送指示受付手段と、
上記転送指示受付手段が転送指示を受け付けると、上記発信元装置から上記接続中に受信したデータを、上記転送指示を送信した携帯端末に対し送信するデータ送信手段と、を備えていることを特徴とするデータ転送装置。
【請求項２】
上記転送指示受付手段が、上記発信元装置と自装置とが接続していないときに、上記携帯端末から転送指示を受け付けた場合、
上記データ送信手段は、上記転送指示受付手段が転送指示を受け付けたときの直近に受信したデータを、上記転送指示を送信した携帯端末に対し送信することを特徴とする請求項１に記載のデータ転送装置。
【請求項３】
上記発信元装置から受信したデータを、上記携帯端末で読み取り可能なデータ形式に変換するデータ変換手段を備え、
上記データ送信手段は、上記データ変換手段が変換したデータを上記携帯端末へ送信することを特徴とする請求項１または２に記載のデータ転送装置。
【請求項４】
上記データ送信手段が送信すべきデータを正常に受信できなかった場合、上記携帯端末に対し、エラーメッセージを送信するエラーメッセージ送信手段を備えていることを特徴とする請求項１〜３のいずれか１項に記載のデータ転送装置。
【請求項５】
データ転送装置の子機であり、該データ転送装置に着信した電話に対し、子機として応答できる携帯端末であって、
上記データ転送装置が自端末からデータ転送指示を受信したときに接続中の発信元装置から該接続中に受信したデータを自端末へ送信することを指示するデータ転送指示を、上記データ転送装置に対して送信するデータ転送指示送信手段と、
上記データ転送装置からデータを取得するデータ取得手段と、を備えていることを特徴とする携帯端末。
【請求項６】
データ転送装置がデータを受信していることを検出する受信検出手段と、
上記受信検出手段が検出した結果をユーザに対し提示する提示手段と、を備えていることを特徴とする請求項５に記載の携帯端末。
【請求項７】
請求項１〜４のいずれか１項に記載のデータ転送装置と、請求項５または６に記載の携帯端末とを含むデータ転送システム。
【請求項８】
請求項１〜４のいずれか１項に記載のデータ転送装置を動作させるデータ転送装置制御プログラムであって、コンピュータを上記の各手段として機能させるためのデータ転送装置制御プログラム。
【請求項９】
請求項５または６に記載の携帯端末を動作させる携帯端末制御プログラムであって、コンピュータを上記の各手段として機能させるための携帯端末制御プログラム。
【請求項１０】
請求項８に記載のデータ転送装置制御プログラムおよび請求項９に記載の携帯端末制御プログラムの少なくともいずれか一方を記録したコンピュータ読み取り可能な記録媒体。
【請求項１１】
着信した電話に対し、自装置の子機である携帯端末が応答できるとともに、該電話の発信元装置からデータを受信するデータ転送装置の制御方法であって、
上記電話の発信元装置と接続中に、上記携帯端末から転送指示を受け付ける転送指示受付ステップと、
上記転送指示受付ステップで転送指示を受け付けると、上記発信元装置から上記接続中に受信したデータを、上記転送指示を送信した携帯端末に対し送信するデータ送信ステップと、を含むことを特徴とするデータ転送装置の制御方法。
【請求項１２】
データ転送装置の子機であり、該データ転送装置に着信した電話に対し、子機として応答できる携帯端末の制御方法であって、
上記データ転送装置が自端末からデータ転送指示を受信したときに接続中の発信元装置から該接続中に受信したデータを自端末へ送信することを指示するデータ転送指示を、上記データ転送装置に対して送信するデータ転送指示送信ステップと、
上記データ転送装置からデータを取得するデータ取得ステップと、を含むことを特徴とする携帯端末の制御方法。
【発明の詳細な説明】
【技術分野】
【０００１】
本発明は、受信したデータを転送指示により、転送指示を受けた装置へ送信するデータ転送装置、携帯端末、データ転送システム、データ転送装置の制御方法、携帯端末の制御方法、データ転送装置制御プログラム、携帯端末制御プログラム、およびこれらのプログラムを記録したコンピュータ読み取り可能な記録媒体に関するものである。
【背景技術】
【０００２】
近年、携帯電話を、家の中では固定電話の子機として使用できるという、移動体通信と有線通信とを融合したサービスが実施されている（ＦＭＣ（Fixed-Mobile Convergence））。
【０００３】
これにより、家の中では、固定電話に着信した電話に対し、携帯電話で応答することができる。よって、ユーザは、１台の携帯電話を、家の外では携帯電話として、家の中では固定電話の子機として使用することができる。したがって、ユーザは携帯電話を家の中では固定電話の子機として使用することができるので、家の中では固定電話専用の子機を使用し、家の外では携帯電話を使用するといった複数の端末を使い分ける必要がなくなり、ユーザの使い勝手がよくなる。
【０００４】
また、固定電話と携帯電話とを連携して用いる技術について、例えば、特許文献１〜３に記載されている。
【０００５】
特許文献１には、ファクシミリ装置がファクシミリを受信したことを携帯端末で認識できる技術が記載されている。
【０００６】
また、特許文献２には、携帯端末からファクシミリを受信したファクシミリ装置に対して、画像形成、データ削除、データ転送の指示を行う技術が記載されている。そして、ここに記載されているデータ転送を行う技術は、ファクシミリ装置がファクシミリを受信後に、予め設定されている端末に対して行うものである。
【０００７】
また、特許文献３には、携帯端末から記憶装置に記憶されている文書の印刷、転送、削除等ができるファクシミリ装置が記載されている。
【特許文献１】特開２０００−２９５４０３号公報（２０００年１０月２０日公開）
【特許文献２】特開２００３−８４９４５号公報（２００３年３月２０日公開）
【特許文献３】特開２００３−３３３３０５号公報（２００３年１１月２１日公開）
【発明の開示】
【発明が解決しようとする課題】
【０００８】
しかしながら、上記従来の構成では、以下のような問題を生じる。すなわち、特許文献１に記載の発明では、携帯端末では、ファクシミリ装置がファクシミリを受信したことが分かるのみであり、受信したファクシミリの内容は携帯端末では確認できない。
【０００９】
また、特許文献２に記載の発明では、ファクシミリ装置がファクシミリを受信後に、予め設定されている端末に対してのみしかデータを転送することができない。
【００１０】
また、特許文献３に記載の発明でも、データの転送は、記憶装置にデータが記憶された後、すなわちファクシミリ装置がファクシミリを受信後に、予め設定されている端末に対してのみしかできない。
【００１１】
さらに、上記特許文献１〜３に記載の発明では、受信後のファクシミリを予め設定され端末へ送信するものであり、今まさに受信しようとしているファクシミリを所望の端末へ送信することはできない。
【００１２】
本発明は、上記の問題点に鑑みてなされたものであり、その目的は、転送指示を送信する携帯端末に所望の受信データを転送するデータ転送装置等を実現することにある。
【課題を解決するための手段】
【００１３】
上記課題を解決するために、本発明に係るデータ転送装置は、着信した電話に対し、自装置の子機である携帯端末が応答できるとともに、該電話の発信元装置からデータを受信するデータ転送装置であって、上記電話の発信元装置と接続中に、上記携帯端末から転送指示を受け付ける転送指示受付手段と、上記転送指示受付手段が転送指示を受け付けると、上記発信元装置から上記接続中に受信したデータを、上記転送指示を送信した携帯端末に対し送信するデータ送信手段と、を備えていることを特徴としている。
【００１４】
また、本発明に係るデータ転送装置の制御方法は、着信した電話に対し、自装置の子機である携帯端末が応答できるとともに、該電話の発信元装置からデータを受信するデータ転送装置の制御方法であって、上記電話の発信元装置と接続中に、上記携帯端末から転送指示を受け付ける転送指示受付ステップと、上記転送指示受付ステップで転送指示を受け付けると、上記発信元装置から上記接続中に受信したデータを、上記転送指示を送信した携帯端末に対し送信するデータ送信ステップと、を含むことを特徴としている。
【００１５】
上記の構成および方法によれば、発信元装置と接続中に、自装置の子機としての機能を有する携帯端末から転送指示を受け付け、転送指示を送信した携帯端末に、発信元装置と接続中に受信したデータを送信する。
【００１６】
これにより、発信元装置と接続中にデータ転送装置で受信したデータが、その接続中における携帯端末からの転送指示により該携帯端末へ送信される。よって、携帯端末のユーザは、データ転送装置が発信元装置と接続中に、該データ転送装置に対し転送指示を送信することにより、該データ転送装置がその接続中に受信したデータを携帯端末に送信させることができる。したがって、携帯端末のユーザは、データ転送装置が発信元装置と接続中に受信したデータを、該携帯端末で速やかに確認できる。
【００１７】
例えば、データ転送装置の子機である携帯端末と発信元装置とで通話中に、発信元装置のユーザから「これからデータを送る」と言われた場合、従来であれば、携帯端末のユーザはデータ転送装置のところまで行くか、もしくは予め転送先として自端末をデータ転送装置に登録しておかなくてはデータの内容を確認することができなかった。
【００１８】
しかしながら、上記の構成であれば、携帯端末からデータ転送装置に転送指示をすれば、データ転送装置と発信元装置とが接続中に受信したデータを、携帯端末へ送信するので、携帯端末のユーザは、そのまま携帯端末でデータの内容を確認することができる。
【００１９】
本発明に係るデータ転送装置では、上記転送指示受付手段が、上記発信元装置と自装置とが接続していないときに、上記携帯端末から転送指示を受け付けた場合、上記データ送信手段は、上記転送指示受付手段が転送指示を受け付けたときの直近に受信したデータを、上記転送指示を送信した携帯端末に対し送信するものであってもよい。
【００２０】
上記の構成によれば、転送指示受付手段が、携帯端末からの転送指示を、自装置と発信元装置とが接続していないときに受け付けた場合、上記転送指示受付手段が転送指示を受け付けたときの直近に受信したデータを、上記データ送信手段は、上記転送指示を送信した携帯端末に対し送信する。
【００２１】
これにより、データ転送装置は、自装置と発信元装置とが接続していないときに、転送指示を受け付けた場合、直近に受信したデータを、携帯端末に送信する。よって、携帯端末のユーザは、転送するべきデータを指定することなく、転送指示をするのみで、所望のデータを携帯端末に送信させて、データの内容を確認することができる。
【００２２】
例えば、発信元装置のユーザから、携帯端末のユーザが「今さっき、データ送ったから」と言われた場合、携帯端末のユーザは、発信元装置のユーザとの通話終了後に、データ転送装置に対し、転送指示を行うだけで、データ転送装置が受信したデータを携帯端末に送信させることができ、データの内容を携帯端末で確認することができる。
【００２３】
本発明に係るデータ転送装置では、上記発信元装置から受信したデータを、上記携帯端末で読み取り可能なデータ形式に変換するデータ変換手段を備え、上記データ送信手段は、上記データ変換手段が変換したデータを上記携帯端末へ送信するものであることが好ましい。
【００２４】
上記の構成によれば、データ変換手段が、発信元装置から受信したデータを携帯端末で読み取り可能なデータ形式に変換し、データ送信手段は、データ変換手段が変換したデータを携帯端末へ送信する。
【００２５】
これにより、発信元装置から受信したデータが、携帯端末で読み取り不可能なデータであったとしても、携帯端末で読み取り可能なデータ形式に変換して、携帯端末へ送信するので、携帯端末のユーザは、データ転送装置で受信したデータを確認することができる。
【００２６】
例えば、データ転送装置がファクシミリ装置で、受信するデータがファクシミリデータの場合、携帯端末ではファクシミリデータをそのまま読み取ることができない。そこで、携帯端末で読み取ることができるデータ形式に変換して、携帯端末へ送信することで、携帯端末のユーザは、ファクシミリデータの内容を確認することができる。
【００２７】
具体的には、ファクシミリ装置の子機である携帯端末と発信元装置とで通話中に、発信元装置のユーザから「これからファックス送る」と言われた場合、従来であれば、携帯端末のユーザはファクシミリ装置のところまで行かなくてはファクシミリを確認することができなかった。
【００２８】
しかしながら、上記の構成であれば、携帯端末からファクシミリ装置に転送指示をするのみで、ファクシミリ装置と発信元装置とが接続中に受信したデータ（ファクシミリデータ）を携帯端末で読み取ることができるデータ形式に変換して、携帯端末へ送信するので、携帯端末のユーザは、そのまま携帯端末でファクシミリデータの内容を確認することができる。
【００２９】
本発明に係るデータ転送装置では、上記データ送信手段が送信すべきデータを正常に受信できなかった場合、上記携帯端末に対し、エラーメッセージを送信するエラーメッセージ送信手段を備えているものであってもよい。
【００３０】
上記の構成によれば、エラーメッセージ送信手段が、上記データ送信手段が送信すべきデータを正常に受信できなかった場合、上記携帯端末に対し、エラーメッセージを送信する。
【００３１】
これにより、データ転送装置でデータを正常に受信できなかった場合、携帯端末に対し、エラーメッセージが送信されるので、携帯端末のユーザは、データ転送装置がデータを正常に受信できなかったことを認識できる。
【００３２】
上記課題を解決するために、本発明に係る携帯端末は、データ転送装置の子機であり、該データ転送装置に着信した電話に対し、子機として応答できる携帯端末であって、上記データ転送装置が自端末からデータ転送指示を受信したときに接続中の発信元装置から該接続中に受信したデータを自端末へ送信することを指示するデータ転送指示を、上記データ転送装置に対して送信するデータ転送指示送信手段と、上記データ転送装置からデータを取得するデータ取得手段と、を備えていることを特徴としている。
【００３３】
また、本発明に係る携帯端末の制御方法は、データ転送装置の子機であり、該データ転送装置に着信した電話に対し、子機として応答できる携帯端末の制御方法であって、上記データ転送装置が自端末からデータ転送指示を受信したときに接続中の発信元装置から該接続中に受信したデータを自端末へ送信することを指示するデータ転送指示を、上記データ転送装置に対して送信するデータ転送指示送信ステップと、上記データ転送装置からデータを取得するデータ取得ステップと、を含むことを特徴としている。
【００３４】
上記の構成および方法によれば、データ転送装置がデータ転送指示を受信したときに接続中の発信元装置から該接続中に受信したデータを自端末へ送信するデータ転送指示を、データ転送装置に対し送信する。そして、データ転送装置からデータを取得する。
【００３５】
これにより、データ転送指示を受信したときに接続中の発信元装置から該接続中に受信したデータが、携帯端末からのデータ転送指示により、携帯端末に送信される。よって、携帯端末のユーザは、データ転送指示を送信したときに、データ転送装置が接続中の発信元装置から該接続中に受信したデータを確認することができる。
【００３６】
本発明に係る携帯端末では、データ転送装置がデータを受信していることを検出する受信検出手段と、上記受信検出手段が検出した結果をユーザに対し提示する提示手段と、を備えているものであってもよい。
【００３７】
上記の構成によれば、受信検出手段が、データ転送装置がデータを受信していることを検出し、提示手段が上記受信手段が受信した結果をユーザに対し提示する。
【００３８】
これにより、携帯端末で、データ転送装置がデータを受信していることを認識することができるので、携帯端末のユーザは、データ転送装置のところまで確認に行かなくても、携帯端末でデータの受信を確認することができる。
【００３９】
上記データ転送装置と上記携帯端末とを含むデータ転送システムであっても上述した効果を奏することができる。
【００４０】
なお、上記データ転送装置および携帯端末は、コンピュータによって実現してもよく、この場合には、コンピュータを上記各手段として動作させることにより上記データ転送装置および携帯端末をコンピュータにて実現させるデータ転送装置および携帯端末の制御プログラム、およびそれらを記録したコンピュータ読み取り可能な記録媒体も、本発明の範疇に入る。
【発明の効果】
【００４１】
以上のように、本発明に係るデータ転送装置は、電話の発信元装置と接続中に、携帯端末から転送指示を受け付ける転送指示受付手段と、上記転送指示受付手段が転送指示を受け付けると、上記発信元装置から上記接続中に受信したデータを、上記転送指示を送信した携帯端末に対し送信するデータ送信手段と、を備えていることを特徴としている。
【００４２】
また、本発明に係るデータ転送装置の制御方法は、電話の発信元装置と接続中に、携帯端末から転送指示を受け付ける転送指示受付ステップと、上記転送指示受付ステップで転送指示を受け付けると、上記発信元装置から上記接続中に受信したデータを、上記転送指示を送信した携帯端末に対し送信するデータ送信ステップと、を含むことを特徴としている。
【００４３】
これにより、発信元装置と接続中にデータ転送装置で受信したデータが、その接続中における携帯端末からの転送指示により該携帯端末へ送信される。よって、携帯端末のユーザは、データ転送装置が発信元装置と接続中に、該データ転送装置に対し転送指示を送信することにより、該データ転送装置がその接続中に受信したデータを携帯端末に送信させることができる。したがって、携帯端末のユーザは、データ転送装置が発信元装置と接続中に受信したデータを、該携帯端末で速やかに確認できるという効果を奏する。
【００４４】
また、本発明に係る携帯端末は、データ転送装置が自端末からデータ転送指示を受信したときに接続中の発信元装置から該接続中に受信したデータを自端末へ送信することを指示するデータ転送指示を、上記データ転送装置に対して送信するデータ転送指示送信手段と、上記データ転送装置からデータを取得するデータ取得手段と、を備えていることを特徴としている。
【００４５】
また、本発明に係る携帯端末の制御方法は、データ転送装置が自端末からデータ転送指示を受信したときに接続中の発信元装置から該接続中に受信したデータを自端末へ送信することを指示するデータ転送指示を、上記データ転送装置に対して送信するデータ転送指示送信ステップと、上記データ転送装置からデータを取得するデータ取得ステップと、を含むことを特徴としている。
【００４６】
これにより、データ転送指示を受信したときに接続中の発信元装置から該接続中に受信したデータが、携帯端末からのデータ転送指示により、携帯端末に送信される。よって、携帯端末のユーザは、データ転送指示を送信したときに、データ転送装置が接続中の発信元装置から該接続中に受信したデータを確認することができるという効果を奏する。
【発明を実施するための最良の形態】
【００４７】
本発明の一実施の形態について図１から図８に基づいて説明すれば、以下のとおりである。図３は、本発明のデータ転送システム５の概略構成を示す説明図である。図３に示すように、本発明のデータ転送システム５は、公衆回線３と接続したファクシミリ装置（データ転送装置）１と、ファクシミリ装置１とＢｌｕｅｔｏｏｔｈ（登録商標）で通信可能な携帯端末２とを含む構成である。
【００４８】
そして、ファクシミリ装置１は、いわゆるＦＭＣ（Fixed-Mobile Convergence）と呼ばれる動作の一部の機能を行うものである。ここでのＦＭＣとは、携帯電話を家の中で固定電話の子機として用いることが可能となる通信サービスの形態である。よって、本実施の形態では、携帯端末２を家の中では、ファクシミリ装置１の子機として使用できる。
【００４９】
そして、ファクシミリ装置１は、携帯端末２からデータ転送指示を取得すると、ファクシミリ装置１で受信している、または、受信したファクシミリデータを、上記Ｂｌｕｅｔｏｏｔｈ（登録商標）を介して、携帯端末２へ転送するものである。
【００５０】
なお、ここでは、ファクシミリ装置１と携帯端末２とはＢｌｕｅｔｏｏｔｈ（登録商標）で通信可能なものとして説明するが、ファクシミリ装置１と携帯端末２との通信はこれに限られるものではなく、近距離で無線通信が可能なものであれば何でもよく、例えば８０２．１１無線を利用することもできる。
【００５１】
また、ファクシミリ装置１から携帯端末２へのファクシミリデータの送信は上記Ｂｌｕｅｔｏｏｔｈ（登録商標）を介して行うものとして説明するが、これに限らず、ファクシミリデータを電子メールに添付する等して、ファクシミリ装置１から携帯端末２へ電子メールを用いて送信するものであってもよい。
【００５２】
次に、図１を用いて、ファクシミリ装置１について説明する。図１は本実施の形態に係るファクシミリ装置１の構成を示すブロック図である。図１に示すように、ファクシミリ装置１は、回線接続部１００、子機接続部１０１、操作受付部１０２、表示部１０３、送受話部１０４、制御部１０５、および記憶部１０６を含む構成である。
【００５３】
回線接続部１００は、公衆回線３と接続し、公衆回線３を介して接続されている他の通信装置（図示せず）とファクシミリ装置１とのデータの送受信を行うものである。
【００５４】
また、回線接続部１００は、公衆回線３を介してファクシミリ装置１と他の通信装置とが接続されているか否かを示す信号を接続状態取得部１５２へ送信する。
【００５５】
子機接続部１０１は、ファクシミリ装置１と接続可能な子機（携帯端末２）を探索し、発見した子機とを通信可能に接続するものである。そして、ファクシミリ装置１と接続されている携帯端末２とデータの送受信を行うものである。
【００５６】
なお、子機の探索の方法は、公知の技術を用いて行うものであるので、ここでの説明は省略する。
【００５７】
操作受付部１０２は、ユーザのファクシミリ装置１に対する操作を受け付けるものであり、テンキー、機能キー、決定キー等で構成されている。ここで、機能キーとは、ファクシミリ装置１の各種機能（例えば、ファクシミリの送信、受信スタート、画像の拡大・縮小、印刷等）を実行するときに選択するキーである。
【００５８】
表示部１０３は、ファクシミリ装置１で受信したファクシミリデータや、ファクシミリ装置１の状態等を表示するものである。この表示部１０３は、情報の表示が可能な表示装置であればどのような装置によって実現されてもよいが、具体的な例としては、液晶ディスプレイ、有機ＥＬ（electroluminescence）ディスプレイが挙げられる。
【００５９】
送受話部１０４は、ユーザが、ファクシミリ装置１を用いて電話を行うときに用いるハンドセットであり、マイクとスピーカとで構成されている。
【００６０】
制御部１０５は、ファクシミリ装置１において、通話やデータ転送を行うためのものである。制御部１０５の詳細については後述する。
【００６１】
記憶部１０６は、ファクシミリ装置１で受信したファクシミリデータや、ファクシミリ装置１で転送するファクシミリデータを決定するための転送データ決定テーブルを含む、ファクシミリ装置１で用いるデータやプログラムを記憶しているものである。
【００６２】
より詳細には、記憶部１０６は、ファクシミリデータ記憶部１６１と転送データ決定テーブル記憶部１６２とを含む構成である。そして、ファクシミリデータ記憶部１６１は、ファクシミリ装置１で受信したファクシミリデータを記憶している。また、転送データ決定テーブル記憶部１６２は、ファクシミリ装置１で転送するファクシミリデータを決定するときに用いる転送データ決定テーブルを記憶している。
【００６３】
この記憶部１０６の具体例としては、フラッシュメモリ等が挙げられる。なお、ファクシミリデータを一時的に記憶する場合は、一時的な記憶が可能なＲＡＭ（Random Access Memory）を用いてもよく、プログラムについては、読み出し専用のメモリであるＲＯＭ（Read Only Memory）を用いてもよい。
【００６４】
次に、制御部１０５について説明する。制御部１０５は、ファクシミリデータ取得部１５１、接続状態取得部１５２、通話部１５３、接続状態送信部１５４、転送指示取得部（転送指示受付手段）１５５、転送データ決定部（エラーメッセージ送信手段）１５６、および転送データ送信部（データ送信手段、データ変換手段、エラーメッセージ送信手段）１５７を含む構成である。
【００６５】
ファクシミリデータ取得部１５１は、回線接続部１００、公衆回線３を介して接続されている他の通信装置から送信されたファクシミリデータを取得し、取得したファクシミリデータをファクシミリデータ記憶部１６１へ記憶させるものである。
【００６６】
接続状態取得部１５２は、ファクシミリ装置１が他の通信装置と接続状態にあるか否かを示す接続情報信号を、回線接続部１００から取得し、接続状態送信部１５４に送信するものである。また、ファクシミリ装置１がファクシミリを受信中であれば、その旨を示す接続情報信号を、接続状態送信部１５４へ送信するものである。
【００６７】
通話部１５３は、ファクシミリ装置１における通話機能を実行するものである。この通話機能は、公知の技術を用いて行うものであり、その詳細についての説明は省略する。
【００６８】
接続状態送信部１５４は、接続状態取得部１５２から取得した接続情報信号を、子機接続部１０１へ送信する。例えば、接続状態取得部１５２から取得した接続情報信号が、ファクシミリ装置１と他の通信装置とが公衆回線３を介して接続状態にあることを示すものであった場合、その旨を示す接続情報信号を子機接続部１０１へ送信する。また、接続状態取得部１５２から取得した接続情報信号が、ファクシミリ装置１がファクシミリ受信中であることを示すものである場合、その旨を示す接続情報信号を子機接続部１０１へ送信する。
【００６９】
転送指示取得部１５５は、子機接続部１０１を介して携帯端末２（子機）より転送指示信号を取得し、取得した転送指示信号を転送データ決定部１５６へ送信する。
【００７０】
転送データ決定部１５６は、転送指示取得部１５５から取得した転送指示の取得タイミングにより、転送するファクシミリデータを決定する。これは、転送データ決定テーブル記憶部１６２に記憶されている転送データ決定テーブルを用いて行う。そして、決定した転送するファクシミリデータ（転送データ）をファクシミリデータ記憶部１６１から取得し、転送データ送信部１５７へ送信する。
【００７１】
また、転送データ決定部１５６は、転送すべきデータが正常に受信できていない等で転送すべきデータが存在しない場合、エラーメッセージを作成し、転送データ送信部１５７へ送信する。
【００７２】
ここで、転送データ決定テーブル記憶部１６２に記憶されている転送データ決定テーブル４１について図４を用いて説明する。図４は、転送データ決定テーブル４１を示す図である。図４に示すように、転送データ決定テーブル４１は、転送指示信号を取得したタイミングと転送するファクシミリデータとが対応づけられている。そして、転送データ決定テーブル４１によれば、転送指示信号を取得したタイミングが発信元装置とファクシミリ装置１とが接続中だった場合、転送するファクシミリデータは、当該接続中に、発信元装置から受信したファクシミリデータとなる。また、発信元装置とファクシミリ装置１とが接続中のとき以外に転送指示を取得した場合、転送するファクシミリデータは、直近に受信したファクシミリデータとなる。
【００７３】
なお、携帯端末２は、転送指示信号に予約を示す情報を含めて送信し、ファクシミリ装置１は、転送指示信号取得後、最初に受信したファクシミリデータを転送するものであってもよい。
【００７４】
転送データ送信部１５７は、転送データ決定部１５６から取得した転送データを、携帯端末２に適したデータ形式に変換して、子機接続部１０１を介して、転送指示を送信した携帯端末２へ送信する。
【００７５】
次に、図２を用いて、携帯端末２について説明する。図２は、本実施の形態に係る携帯端末２の構成を示すブロック図である。図２に示すように、携帯端末２は、親機接続部２０１、操作受付部２０２、表示部２０３、送受話部２０４、制御部２０５、および記憶部２０６を含む構成である。
【００７６】
親機接続部２０１は、親機（ファクシミリ装置１）と接続し、ファクシミリ装置１と携帯端末２とのデータの送受信を行うものである。
【００７７】
操作受付部２０２は、ユーザによる携帯端末２に対する操作を受け付けるものである。操作受付部２０２の具体例としては、テンキー、方向キー、決定キー等が挙げられる。
【００７８】
表示部２０３は、携帯端末２で取得したファクシミリデータ、携帯端末２の状態等を表示するものである。表示部２０３は、情報の表示が可能な表示装置であればどのような装置によって実現されてもよいが、具体的な例としては、液晶ディスプレイ、有機ＥＬ（electroluminescence）ディスプレイが挙げられる。
【００７９】
送受話部２０４は、ユーザが携帯端末２を用いて通話を行うときに使用するマイクおよびスピーカである。
【００８０】
制御部２０５は、携帯端末２において、ファクシミリデータの転送指示を行いファクシミリデータを取得するものである。制御部２０５の詳細については後述する。
【００８１】
記憶部２０６は、携帯端末２で取得したファクシミリデータを含む、携帯端末２に用いるデータ、プログラム等を記憶している。より詳細には、記憶部２０６は、転送データ記憶部２６１を含む構成である。そして、転送データ記憶部２６１は、ファクシミリ装置１から取得したファクシミリデータを記憶するものである。
【００８２】
この記憶部１０６の具体例としては、フラッシュメモリ等が挙げられる。なお、ファクシミリデータを一時的に記憶する場合は、一時的な記憶が可能なＲＡＭ（Random Access Memory）を用いてもよく、プログラムについては、読み出し専用のメモリであるＲＯＭ（Read Only Memory）を用いてもよい。
【００８３】
次に、制御部２０５について説明する。制御部２０５は、通話部２５１、転送データ取得部（データ取得手段）２５２、接続情報信号取得部（受信検出手段）２５３、転送指示送信部（データ転送指示送信手段）２５４、および表示制御部（提示手段）２５５を含む構成である。
【００８４】
通話部２５１は、携帯端末２において、通話機能を実行するものである。この通話機能は公知の技術を用いて行うものであり、その説明は省略する。
【００８５】
転送データ取得部２５２は、親機接続部２０１を介してファクシミリ装置１からファクシミリデータを取得し、転送データ記憶部２６１に記憶させる。
【００８６】
接続情報信号取得部２５３は、親機接続部２０１を介してファクシミリ装置１から接続情報信号を取得し、表示制御部２５５へ送信する。
【００８７】
転送指示送信部２５４は、操作受付部２０２で転送指示を受け付けると、転送指示を示す転送指示信号を親機接続部２０１を介してファクシミリ装置１へ送信する。
【００８８】
表示制御部２５５は、表示部２０３で表示する内容を制御する。例えば、接続情報信号取得部２５３からファクシミリ装置１が公衆回線３を介して他の通信装置と接続状態にあることを示す接続情報信号を取得すると、表示部２０３にファクシミリ装置１と他の通信装置とが接続状態、すなわち通信中であることを示す情報を表示する。
【００８９】
また、表示制御部２５５は、ファクシミリ装置１がファクシミリ受信中であることを示す接続情報信号を取得すると、表示部２０３に、ファクシミリ装置１がファクシミリを受信中である旨を示す情報を表示する。
【００９０】
次に、図５を用いて、ファクシミリ装置１における処理の流れについて説明する。図５は、ファクシミリ装置１の処理の流れを示すフローチャートである。なお、ここでは、まず電話着信があり、その後に転送指示を行い、電話の発信元からファクシミリが着信した場合について説明するが、本実施の形態はこれに限られるものではない。最初に、ファクシミリが着信した場合や、ファクシミリ着信後に転送指示を行うものであってもよい。
【００９１】
図５に示すように、ファクシミリ装置１は、着信があると（Ｓ５０１）、子機接続部１０１は、子機（携帯端末２）の呼び出しを開始する。そして、子機接続部１０１は、応答した子機を発見すると（Ｓ５０２）、発見した子機とファクシミリ装置１とを接続する（Ｓ５０３）。
【００９２】
そして、転送指示取得部１５５が、転送指示信号を取得し（Ｓ５０４でＹＥＳ）、ファクシミリデータ取得部１５１が、ファクシミリを正常に受信すると（Ｓ５０５、Ｓ５０６でＹＥＳ）、転送データ決定部１５６は、転送データ決定テーブル記憶部１６２に記憶されている転送データ決定テーブル４１を用いて転送するファクシミリデータを決定する（Ｓ５０８）。そして、転送データ送信部１５７は、転送データ決定部１５６が決定したファクシミリデータを子機接続部１０１を介して転送指示信号を送信した子機に対し送信する（Ｓ５０９）。
【００９３】
一方、転送指示取得部１５５が、転送指示信号を取得していない場合（Ｓ５０４でＮＯ）、または、ファクシミリデータ取得部１５１が、ファクシミリを受信していない場合（Ｓ５０５でＮＯ）は、そのまま処理を終了する。また、ファクシミリを正常に受信できなった場合は（Ｓ５０６でＮＯ）、転送データ決定部１５６は、エラーメッセージを作成し（Ｓ５０７）、子機接続部１０１を介して携帯端末２へ送信する（Ｓ５０９）。
【００９４】
以上で、ファクシミリ装置１における処理は終了する。なお、ファクシミリデータ転送後に、携帯端末２とファクシミリと発信元装置との通話を再開できる構成であってもよい。
【００９５】
次に、図６を用いて、携帯端末２における処理の流れについて説明する。図６は、携帯端末２の処理の流れを示すフローチャートである。なお、ここでは、図５と同様に、まず電話着信があり、その後にファクシミリが着信した場合について説明するが、本実施の形態はこれに限られるものではない。
【００９６】
図６に示すように、携帯端末２は、親機（ファクシミリ装置１）と接続すると（Ｓ６０１）、ファクシミリ装置１で着信している電話が、そのまま携帯端末２に着信する（Ｓ６０２）。そして、携帯端末２の操作受付部２０２で通話ボタン（図示せず）を押下することで電話に出て、通話することができる（Ｓ６０３）。
【００９７】
そして、転送指示送信部２５４は、操作受付部２０２で受け付けた転送指示に基づいて転送指示信号を親機接続部２０１を介してファクシミリ装置１に送信する（Ｓ６０４でＹＥＳ）。そして、転送データ取得部２５２は、ファクシミリデータを取得し（Ｓ６０５）、表示制御部２５５は取得したファクシミリデータを表示部２０３に表示させる（Ｓ６０６）。また、転送データ取得部２５２が、エラーメッセージを取得した場合は、表示制御部２５５は取得したエラーメッセージを表示部２０３に表示させる。
【００９８】
一方、操作受付部２０２で転送指示を受け付けていない場合は（Ｓ６０４でＮＯ）、そのまま処理を終了する。
【００９９】
なお、ファクシミリを受信した後に転送指示を行う場合は、携帯端末２の表示部２０３にファクシミリ装置１でファクシミリを受信中であることを表示させ、携帯端末２のユーザが、該表示を確認したのち、転送指示を行う構成であってもよい。また、ファクシミリを受信中である表示がない場合には、転送指示を行うことができない構成であってもよい。
【０１００】
以上で、携帯端末２の処理の流れが終了する。なお、ファクシミリデータを表示後に、通話を再開できる構成であってもよい。また、転送指示は、ファクシミリ装置１がファクシミリを受信する前、または受信した後であってもよい。
【０１０１】
次に、図７を用いて、ファクシミリ装置１と携帯端末２との処理のシーケンスを説明する。図７は、発信元装置とファクシミリ装置１と携帯端末２との処理のシーケンス図である。
【０１０２】
図７に示すように、発信元装置から発信があると、ファクシミリ装置１を介して、携帯端末２に着信する。そして、携帯端末２で応答すると、発信元装置と携帯端末２とで通話が可能となる。通話開始後、発信元装置からファクシミリが送信されると、ファクシミリ装置１で該ファクシミリを受信するとともに、ファクシミリ装置１から携帯端末２へファクシミリを受信している旨を示すファクシミリ受信信号が送られる。そして、携帯端末２から転送指示信号がファクシミリ装置１へ送信されていると、ファクシミリ装置１はファクシミリ受信完了後、受信したファクシミリデータを携帯端末２へ転送する。
【０１０３】
なお、携帯端末２からファクシミリ装置１への転送指示信号の送信は、発信元装置と携帯端末２との通話が開始されたときから可能である。
【０１０４】
次に、携帯端末２を用いて、実際にファクシミリデータの転送を指示する画面例について、図８を用いて、説明する。図８は、携帯端末２において、ファクシミリデータの転送を指示する表示画面例を示すものであり、同図の（ａ）は、電話中に転送指示を送信する場合で、転送ボタン８１がファクシミリ信号を検出したときのみ表示される場合を示す図である。同図の（ｂ）は、電話中に転送指示を送信する場合で、ファクシミリ信号を検出する前は転送予約ボタン８２が、ファクシミリ信号を検出した後は転送ボタン８３が表示される場合を示す図である。
【０１０５】
同図の（ｃ）は、ファクシミリ装置１でファクシミリを受信中の場合に転送ボタン８４が表示される場合を示す図である。同図の（ｄ）は、ファクシミリの通信がエラーになった場合を示す図である。同図の（ｅ）は、メニュー画面を表示し、ファクシミリ装置１に記憶されているファクシミリデータを転送させる場合を示す図である。
【０１０６】
まず、ファクシミリ装置１がファクシミリデータを受信した場合に携帯端末２による転送指示が可能となる場合について、図８（ａ）を用いて説明する。電話中は、図８（ａ）の表示画面８０１に示すように、電話中の画面が表示され、ファクシミリ装置１でファクシミリデータの受信があると、表示画面８０２に示すように転送ボタン８１が表示される。そして、ユーザが転送ボタン８１を選択することで転送指示信号がファクシミリ装置１へ送信される。
【０１０７】
次に、携帯端末２が電話中であれば、ファクシミリ装置１に転送指示が可能である場合について、図８（ｂ）を用いて説明する。電話中は、表示画面８０３に示すように表示画面８０１と同様の電話中の画面に加えて転送予約ボタン８２が表示される。この時点で、ユーザが転送予約ボタン８２を選択すると、予約情報を含む転送指示信号がファクシミリ装置１に送信され、ファクシミリ装置１は、その後に受信したファクシミリデータを携帯端末２へ送信する。また、電話中にファクシミリ装置１がファクシミリを受信すると、表示画面８０２と同様に転送ボタン８３が表示された表示画面８０４となる。
【０１０８】
次に、ファクシミリ装置１がファクシミリを受信中の場合、携帯端末２の画面は、図８（ｃ）の表示画面８０５のように、ＦＡＸ通信中を示す表示とともに、転送ボタン８４が表示される。そして、ユーザが、転送ボタン８４を選択すると、転送指示信号がファクシミリ装置１に送信され、受信中のファクシミリデータが携帯端末２へ送信される。
【０１０９】
また、ファクシミリ装置１が正常にファクシミリを受信できなかった場合、図８（ｄ）の表示画面８０６のように、ファクシミリの受信ができなかった旨が表示される。
【０１１０】
また、ファクシミリ装置１に記憶されているファクシミリデータを携帯端末２へ送信する場合は、図８（ｅ）の表示画面８０７でメニューボタンを選択すると、表示画面８０８に示すメニュー画面が表示され、「ＦＡＸ転送」を選択すると、表示画面８０９に示すように記憶されている受信ＦＡＸの一覧が表示される。そして、携帯端末２へ送信したいファクシミリデータを選択すると、選択されたファクシミリデータが携帯端末２へ送信され、表示画面８１０のように表示される。
【０１１１】
以上のように、本実施の形態では、ファクシミリ装置１で受信したファクシミリを携帯端末２の指示により、携帯端末２へ転送できるので、携帯端末２のユーザは、ファクシミリ装置１の近辺にいなくてもファクシミリ装置１で受信したファクシミリを確認することができる。
【０１１２】
例えば、発信元装置のユーザをユーザＡ、ファクシミリ装置１、携帯端末２のユーザをユーザＢとし、ユーザＡがユーザＢのファクシミリ装置１に対し、電話をかけ、ユーザＡの発信元装置とユーザＢの携帯端末２とで通話を行っている場合に、ユーザＡからユーザＢにファクシミリを送信したい場合、従来であれば、ユーザＢはファクシミリ装置１のところまで行き、ファクシミリを確認する必要があった。しかしながら、本実施の形態によれば、ユーザＢは、携帯端末２を用いてファクシミリ装置１に対し転送指示をすることで携帯端末２でファクシミリを確認することができる。
【０１１３】
また、携帯端末２は、１台に限られていないので、ユーザＢとは別のユーザＣがユーザＡと通話を行いファクシミリを受信する場合、ユーザＣの携帯端末２から転送指示を行へば、ユーザＣの携帯端末２へファクシミリデータを転送することができる。よって、予めファクシミリ装置１に転送先を登録することなく、ユーザ毎に対応することもできる。
【０１１４】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１５】
最後に、ファクシミリ装置１および携帯端末２の各ブロック、特に制御部１０５および制御部２０５は、ハードウェアロジックによって構成してもよいし、次のようにＣＰＵ（central processing unit）を用いてソフトウェアによって実現してもよい。
【０１１６】
すなわち、ファクシミリ装置１および携帯端末２は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるファクシミリ装置１および携帯端末２の制御プログラムのプログラムコード（実行形式プログラム、中間コードプログラム、ソースプログラム）をコンピュータで読み取り可能に記録した記録媒体を、上記のファクシミリ装置１および携帯端末２に供給し、そのコンピュータ（またはＣＰＵやＭＰＵ（microprocessor unit））が記録媒体に記録されているプログラムコードを読み出し実行することによっても、達成可能である。
【０１１７】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１１８】
また、ファクシミリ装置１および携帯端末２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１９】
転送指示を受けたときに、接続中の発信元装置から該接続中に受信したデータを、転送指示を受けた携帯端末に対し送信することができるので、複数の携帯端末のうち、所望の携帯端末に受信データを送信するデータ転送装置、例えば、受信したファクシミリデータを携帯端末に転送するファクシミリ装置に好適である。
【図面の簡単な説明】
【０１２０】
【図１】本発明の実施の形態を示すものであり、ファクシミリ装置の要部構成を示すブロック図である。
【図２】上記実施の形態における、携帯端末の要部構成を示すブロック図である。
【図３】上記実施の形態における、データ転送システムの概略構成を示す説明図である。
【図４】上記実施の形態における、転送データ決定テーブル記憶部に記憶されている転送データ決定テーブルを示す図である。
【図５】上記実施の形態における、ファクシミリ装置の処理の流れを示すフローチャートである。
【図６】上記実施の形態における、携帯端末の処理の流れを示すフローチャートである。
【図７】上記実施の形態における、発信元装置とファクシミリ装置と携帯端末との処理を示すシーケンス図である。
【図８】上記実施の形態における、携帯端末において、ファクシミリデータの転送を指示する表示画面例を示す図であり、同図の（ａ）は、通話中に転送指示を送信する場合で、転送ボタンがファクシミリ信号を検出したときのみ表示される場合の表示画面例であり、同図の（ｂ）は、通話中に転送指示を送信する場合で、ファクシミリ信号を検出する前は転送予約ボタンが、ファクシミリ信号を検出した後は転送ボタンが表示される場合の表示画面例であり、同図の（ｃ）は、ファクシミリ装置１でファクシミリを受信中の場合に転送ボタンが表示される場合の表示画面例であり、同図の（ｄ）は、ファクシミリの通信がエラーになった場合の表示画面例であり、同図の（ｅ）は、メニュー画面を表示し、ファクシミリ装置１に記憶されているファクシミリデータを転送させる場合の表示画面例である。
【符号の説明】
【０１２１】
１    ファクシミリ装置（データ転送装置）
２    携帯端末
３    公衆回線
５    データ転送システム
４１    転送データ決定テーブル
１００    回線接続部
１０１    子機接続部
１０２    操作受付部
１０３    表示部
１０４    送受話部
１０５    制御部
１０６    記憶部
１５１    ファクシミリデータ取得部
１５２    接続状態取得部
１５３    通話部
１５４    接続状態送信部
１５５    転送指示取得部（転送指示受付手段）
１５６    転送データ決定部（エラーメッセージ送信手段）
１５７    転送データ送信部（データ送信手段、データ変換手段、エラーメッセージ送信手段）
２０１    親機接続部
２０２    操作受付部
２０３    表示部
２０４    送受話部
２０５    制御部
２０６    記憶部
２５１    通話部
２５２    転送データ取得部（データ取得手段）
２５３    接続情報信号取得部（受信検出手段）
２５４    転送指示送信部（データ転送指示送信手段）
２５５    表示制御部（提示手段）
【図１】
2010093553.tif 000003
【図２】
2010093553.tif 000004
【図３】
2010093553.tif 000005
【図４】
2010093553.tif 000006
【図５】
2010093553.tif 000007
【図６】
2010093553.tif 000008
【図７】
2010093553.tif 000009
【図８】
2010093553.tif 000010